(57)【要約】【課題】回転する食卓等の自動回転盤の改良構造を提供する。【解決手段】固定卓面上に載置された回転卓に固定された回転台３に対して、その周縁ベアリングを具えた円環状の第１、第２スラスト軸受装置５，６によりその周縁を挟持して回転可能に支持し、電源４１に接続する駆動装置に連動するギア４３と回転台内周面のギアを３４を介して回転台を回転駆動する。食卓はこれらの軸受け装置と回転台間の摩擦により回転駆動されるが、回転する食卓を制止してもベアリングによって支持された回転台は回転を継続することができるため、駆動モータなどに過度な負荷を生じることはない。【選択図】図１
0003193168.tif 000002
【実用新案登録請求の範囲】
【請求項１】
固定卓面上に置かれる底台と該底台上方に支持される回転台を具え、
該底台上に設置され、第１スラスト軸受装置を具える下軸軸受けと該回転台上方に設置され、第２スラスト軸受装置を具える上軸軸受けとの間に上記回転台を支持し、
上記底台上に取り付けられた駆動装置により該回転台の回転を駆動することにより、
これら軸受け装置と回転台間の摩擦により回転台に回転駆動力を伝達し、回転台の施力制動に対してこれらの軸受装置の間で回転台が回転可能とした、
自動回転盤。
【請求項２】
前記第１スラスト軸受装置は、環状の下軸軸受によって前記底台に固定され、環状にボールを配置したボールベアリングを介して前記回転台を回転可能に支持した、
請求項１に記載の自動回転盤。
【請求項３】
前記第２スラスト軸受装置は、環状を呈する上軸軸受と前記回転台との間に環状にボールを配置したボールベアリングを介挿した、
請求項１に記載の自動回転盤。
【請求項４】
前記回転台は、水平環体を具え、該水平環体の外縁に外環壁を連なって設け、且つ該水平環体の内縁側に内環壁を連なって設け、且つ該内環壁の内縁壁面に内ギア部を形成してその内ギアを前記駆動装置に連動するギアとかみ合わせさせた請求項１に記載の自動回転盤。
【請求項５】
前記水平環体の上下両側にそれぞれガイドレールを設けた請求項４に記載の自動回転盤。
【請求項６】
前記回転台の上下両側にそれぞれガイドレールを設け、且つ該上軸軸受の底部及び該下軸軸受の上端にそれぞれガイドレール部を設けて前記回転台のガイドレールと対応させた請求項１に記載の自動回転盤。
【請求項７】
前記上軸軸受及び該下軸軸受は、それぞれ環状を呈すると共に該上軸軸受及び下軸軸受の外縁及び内縁にそれぞれ凸縁を凸設し、
前記回転台は、環状を呈してその外縁の上下両側に第１外フープ及び第２外フープを固定して設け、該回転台の内縁の上下両側に第１内フープ及び第２内フープを固定して設け、該第１、第２外フープを該上下軸軸受の外縁に位置する凸縁内に包み挟ませ、該第１、第２内フープを該上下軸軸受の内縁に位置する凸縁内に挟み包ませた請求項１に記載の自動回転盤。
【請求項８】
前記第１、第２外フープ及び前記第１、第２内フープの断面は、それぞれＬ型を呈する請求項７に記載の自動回転盤。
【請求項９】
前記上軸軸受及び前記下軸軸受は、それぞれ複数の固定部を有する請求項１に記載の自動回転盤。
【請求項１０】
前記回転台上方に回転卓を設けるものであって、
前記第２スラスト軸受装置の上方に跨がって置かれ、且つ該回転卓面の下方に位置する回転盤接続部材を更に具える請求項１に記載の自動回転盤。
【請求項１１】
前記回転盤接続部材は、回転盤蓋を具え、且つ該回転盤蓋上に該上軸軸受を固定する複数の固定部を設け、該第２スラスト軸受装置に従って回転する請求項１０に記載の自動回転盤。
【請求項１２】
前記固定部は、固定孔又は挿入ピンである請求項１１に記載の自動回転盤。
【請求項１３】
前記回転盤接続部材は、更に、定位リングを具え、該定位リングを前記回転卓板の底部に固定させ、且つ該回転盤蓋の中央は、被せ孔を形成し、該定位リングを該回転盤蓋の被せ孔中に噛み合わせて被せ入れさせた請求項１１に記載の自動回転盤。
【請求項１４】
前記固定卓面上に固定され、該底台に被さって接続する卓面定位台を更に具える請求項１に記載の自動回転盤。
【請求項１５】
前記駆動装置は、前記回転台の回転を駆動する駆動モータと、該駆動モータを起動する制御回路とを具え、該制御回路にコネクタを具えて制御器又は電源に接続する請求項１に記載の自動回転盤。
【請求項１６】
前記制御器中にバッテリ電源を具える請求項１５に記載の自動回転盤。
【請求項１７】
前記制御器をリモート制御回路により操作制御する請求項１５に記載の自動回転盤の。
【考案の詳細な説明】
【技術分野】
【０００１】
本考案は、自動回転盤の改良構造に関し、特に、回転中の回転卓面を制動する時、駆動モータが猶も正常回転を保持することができる自動回転盤の改良構造に関する。
【背景技術】
【０００２】
一般の駆動装置を接続した自動回転盤構造は、特に、中華式食卓又はその他の回転を要する円盤に応用され、自動回転することができるので、使用上に多くの利便をもたらすことができる。しかしながら、従来の自動回転盤は、料理を取ることに便利である為、又はその他の応用上の原因により、手で回転中の卓面を圧制し、その回転を止める時、モータが強制的に制動される現象を起こし、モータがこれにより過負荷を起こし易く、短絡又は焼損を発生し、従来の自動回転盤の欠点となっている。
【０００３】
本考案者は、これに鑑み、研究を行い、本考案が示す自動回転盤の改良構造を開示する。
【先行技術文献】
【特許文献】
【０００４】
【特許文献１】実公平１−３３９４号公報
【考案の概要】
【考案が解決しようとする課題】
【０００５】
本考案の目的は、自動回転盤の改良構造を提供することにあり、それは、固定卓面上に跨る底台と、下軸軸受を具え、該底台上に設置される第１スラスト軸受装置と、該第１スラスト軸受装置上方に設置される回転台と、該底台上に取り付けられ、該回転台の回転を駆動することに用いられる駆動装置と、該回転台上方に設置され、上軸軸受を含み、回転卓面を跨いで接続することに用いる第２スラスト軸受装置と、を含み、該駆動装置が該回転台を駆動した後、該第２スラスト軸受装置を該回転台に従って回転させ、該第２スラスト軸受装置上方に跨いで置かれた回転卓面の同期回転を連動し、該回転卓面及び第２スラスト軸受装置を施力制動する時、該回転台が依然として該駆動装置を駆動回転することができ、該第１、第２スラスト軸受装置の間で自転し、該駆動装置が過負荷により損壊することを回避する。
【課題を解決するための手段】
【０００６】
本考案の自動回転盤の改良構造は、固定卓面上に跨る底台と、下軸軸受を含み、該底台上に設置される第１スラスト軸受装置と、該第１スラスト軸受装置上方に設置される回転台と、該底台上に取り付けられ、該回転台の回転を駆動することに用いられる駆動装置と、該回転台上方に設置され、上軸軸受を含み、回転卓面を跨いで接続することに用いる第２スラスト軸受装置と、を含み、該駆動装置が該回転台を駆動する時、該第２スラスト軸受装置を該回転台に従って回転でき、該第２スラスト軸受装置上方に跨いで置かれた回転卓面の同期回転を連動し、該回転卓面及び第２スラスト軸受装置を施力制動する時、該回転台が依然として該駆動装置を駆動回転して該第１、第２スラスト軸受装置の間で自転することができる
【考案の効果】
【０００７】
本考案の自動回転盤の改良構造は、第１、第２スラスト軸受装置及び回転台を含み、該回転台は、該第１、第２スラスト軸受装置の間に介し、駆動装置が回転を連動するものであり、使用者に該第２スラスト軸受装置上に位置する回転卓面を制動させる時、駆動モータが猶も該回転台の該第１、第２スラスト軸受装置の間の回転の正常な連動を保持することができる。
【図面の簡単な説明】
【０００８】
【図１】本考案の立体図である。
【図２】図１に示す実施例の局部分解図である。
【図３】図２に示す一部の部材の分解説明図である。
【図４】図１の局部立体断面説明図である。
【図５】本考案が示す第１、第２スラスト軸受装置及び回転台の断面構造立体図である。
【図６】図５の回転卓面及び上軸軸受を制動する動作説明図である。
【図７】回転卓面が上軸軸受に直接固定されることを示す説明図である。
【図８】図７のＡ領域の局部拡大図である。
【図９】本考案の回転盤接続部材の回転盤蓋及び回転卓面の組み立て説明図である。
【図１０】回転盤接続部材の定位リング及び回転卓面の組み立て説明図である。
【図１１】本考案を卓面定位台に応用した応用状態分解図である。
【図１２】図１１の組み立て後の部分断面説明図である。
【考案を実施するための形態】
【０００９】
上記の回転卓面は、食卓又は展示テーブルに応用可能な回転卓面であるが、本考案は、これに制限するものではない。本考案の取り得る実体について、以下の説明及び図面によって明らかにする。
【００１０】
図１〜図５に示すように、本考案は、自動回転盤の改良構造１に関し、固定卓面１０（図１１，１２参照）上に跨る底台２と、該底台２上に設置され、下軸軸受５１を具える第１スラスト軸受装置５と、該第１スラスト軸受装置５上方に設置される回転台３と、該底台２上に取り付けられ、該回転台３の回転を駆動する駆動装置４と、該回転台３上方に設置され、上軸軸受６１を具え、回転卓面９(図７参照)を跨いで接続する第２スラスト軸受装置６とを具える。
該駆動装置４が該回転台３を駆動した後、該第２スラスト軸受装置６を該回転台３に従って回転させ、該第２スラスト軸受装置６上方に跨いで置かれた回転卓面９の同期回転を連動し、該回転卓面９及び第２スラスト軸受装置６を施力制動する時、該回転台３が依然として該駆動装置４を駆動回転することができ、該第１、第２スラスト軸受装置５，６の間で自転し、該駆動装置４が過負荷により損壊することを回避する。
【００１１】
図３、図４、図５に示すように、本考案が開示する第１スラスト軸受装置５は、環状を呈し、且つ螺子又はプラグにより該底台２上方に固定される下軸軸受５１と、環状を呈し、且つ複数のボール受け５２１を設け、各該ボール受け５２１内にそれぞれボール５３を設置させ、且つ各該ボール５３を該回転台３及び該下軸軸受５１の間に位置させる第１ボール保持器５２と、を具える。
【００１２】
本考案が開示する第２スラスト軸受装置６は、環状を呈する上軸軸受６１と、環状を呈し、且つ複数のボール受け６２１を設けて各該ボール受け６２１内にそれぞれボール６３を設置し、各該ボール６３を該上軸軸受６１と該回転台３の間に介させる第２ボール保持器６２と、具える。
【００１３】
本考案が開示する回転台３は、水平環体３３を具え、該水平環体３３の外縁は、外環壁３１を連なって設け、且つ、該水平環体３３の内縁側は、内環壁３２を連なって設け、且つ該内環壁３２の内縁壁面上に内ギア部３４を形成し、該内ギア部３４に前記駆動装置４に連動されるギア４３を噛み合わせさせる。上記水平環体３３の上下両側には、それぞれガイドレール３６，３５を設け、それぞれ該第２、第１スラスト軸受装置６，５のボール６３，５３を跨いて設置する。
【００１４】
本考案が開示する第１スラスト軸受装置５は、上記上軸軸受６１の底部及び上記下軸軸受５１の上端にそれぞれガイドレール部６１１，５１１を設け、該回転第３のガイドレール３６，３５に対応し、該第１スラスト軸受装置５のボール５３を該回転台３の底部のガイドレール３５及び該下軸軸受５１のガイドレール部５１１の間に位置させ、該第２スラスト軸受装置６のボール６３を該回転台３上のガイドレール３６及び該上軸軸受６１のガイドレール部６１１の間に位置させて、該回転台３を該第１、第２スラスト軸受装置５，６の間で自由に回転させることができる。
【００１５】
図４、図５に示すように、本考案が開示する第２スラスト軸受装置６は、上記上軸軸受６及び下軸軸受５は、それぞれ環状を呈し、該上軸軸受６及び下軸軸受５の外縁及び内縁にそれぞれ凸縁５１３ａ，６１３ａ、凸縁５１３ｂ，６１３ｂを凸設する。
回転台３は、環状を呈し、その外縁の上下両側に第１外フープ８１及び第２外フープ８２を固定し、該回転台３の内縁の上下両側に第１内フープ８３及第２内フープ８４を固定し、該第１、第２外フープ８１，８２を該上下軸軸受６１，５１の外縁に位置する凸縁６１３ａ，５１３ａ内に包み挟ませ、該第１、第２内フープ８３，８４を該上下軸軸受６１，５１の内縁に位置する凸縁６１３ｂ，５１３ｂ内に包み挟ませる。上記第１、第２外フープ環８１，８２及び第１，第２内フープ環８３，８４は、鎖合、接着又は高周波溶接等の方式で該回転台３に固定される。
本考案が開示する第１スラスト軸受装置５、回転台３及び第２スラスト軸受装置６は、完全なアセンブリとして結合し、使用することができる。
【００１６】
上記第１、第２外フープ８１，８２及び該第１、第２内フープ８３，８４の断面は、それぞれＬ型を呈するが、本考案は、これに限定するものではない。
【００１７】
図７、図８に示すように、本考案が開示する自動回転盤の改良構造は、上記上軸軸受６１及び下軸軸受５１は、それぞれ複数の固定部６１２，５１２を設け、該固定部６１２，５１２は、孔又は挿入ピンであって、該上軸軸受６１を螺子により該固定部６１２，５１２を貫通した後、回転卓面９に鎖合するか、ボルト状を呈する固定部により該回転卓面上に嵌合し、該下軸軸受５１は、螺子により該固定部５１２を貫通した後、該底台２に鎖合するか、固定卓面１０に直接鎖合するか、ボルト状を呈する固定部により該固定卓面に挿入設置することができる。
【００１８】
図９に示すように、本考案が開示する自動回転盤の改良構造は、更に、該第２スラスト軸受装置６の上方、且つ該回転卓面９の下方に位置する回転盤接続部材７を設ける。該回転盤接続部材７は、回転盤蓋７１を具え、且つ該回転盤蓋７１に複数の固定部７１１を設けて該上軸軸受６１に固定し、該第２スラスト軸受装置６に従って回転する。上記の該固定部７１１は、固定孔又は挿入ピンである。
【００１９】
図１０に示すように、該回転盤接続部材７は、更に、定位リング７２を具え、該定位リング７２を回転卓板９の底部に固定し、且つ該回転盤蓋７１の中央には、被せ孔７１２を形成して該定位リング７２を該回転盤蓋７１の被せ孔７１２中に噛み合わせて被せ入れることにより、該回転卓面９の安定する位置を精確に定位でき、使用者が毎回位置の調整を行う必要がなく、本考案の応用を更に便利にする。
【００２０】
図１１、図１２に示すように、本考案が開示する自動回転盤の改良構造は、更に、該固定卓面に固定され、該底台２に被せて接続することに用いる卓面定位台１０１を具え、上記の卓面定位台１０１の上方は、テーブルクロス１０２を敷設して、該底台２に被せて接続する時、該テーブルクロス２により該卓面固定台１０１及び該底台２の間を充填し、該底台２が使用時に震動により変位を生じることを回避することができる。
また、本考案の応用時、ただ底台２を該卓面定位台１０１に被せて接続した後、固定卓面１０の所定の位置上に安置するだけでよく、毎回調整を行う必要がなく、使用に便利にすることができる。
【００２１】
図１、図４に示すように、本考案が開示する自動回転盤の改良構造は、該駆動装置４が、ギア４３を回転台３の内ギア部４３に嵌合して該回転台３の回転を連動する駆動モータ４２を起動し、制御器又は電源４１に対応して接続するコネクタ４４１を含む制御回路４４と、を具える。上記の制御器４１において、電流バッテリ電源を取り付け、該コネクタ４４１により該駆動モータ４２に電源供給する。上記該制御器４１は、リモート無線制御回路により制御してもよく、使用者は、本考案の回転台３の回転又は停止を無線制御することができる。
本考案が開示する駆動モータ４２は、可撓性接続部材（例えば、ベルト、チェーン）又は摩擦輪により該回転台３の回転を連動することができるが、本考案は、これに限定するものではない。
【００２２】
図４、図５に示すように、本考案の応用において、駆動装置４を起動し、該回転台３を駆動回転する時、該第２スラスト軸受装置６は、該回転台３に垂直な正方向の作用力Ｎを受けているので、該第２スラスト軸受装置６及び該回転台３の間の摩擦力が正方向の作用力Ｎの増加に従って増加し、該第２スラスト軸受装置６を該回転台３に従って共に回転する（図５のＲ方向）作用が働く、即ち、同時に該第２スラスト軸受装置６上に跨る回転卓面９を連動して、食器類が載置された食卓を客の前に逐一回転させることができる。
【００２３】
図４、図６に示すように、客が手で該回転卓面９を圧制し、料理を取る動作を行う時、回転卓面９を圧制し、該回転卓面９に対してその回転方向と相反する作用力Ｆを発生するが、該回転台３は、第１、第２スラスト軸受装置５，６の間で滑動することができるため、使用者が手で回転卓面９を圧制してその回転を停止させる時、該回転台３がそのまま第１、第２スラスト軸受装置５，６間で自由に回転できる（図６のＲ方向）。即ち、駆動装置４の駆動モータ４２は、依然として該回転盤３と共に回転を連動することができ、モータに回転を強制停止させることにより起こる過負荷、短絡又は損壊の現象を発生しない。
また、使用者が駆動装置４によって回転台３の回転を連動させる時、該回転卓面９及び該回転台３の間に第２スラスト軸受装置６を具えるので、使用者は、回転卓面９を任意に停止するか、又は任意の方向に回転させることができ、駆動装置４による回転台３の正常回転の連動を干渉することもなく、本願を使用上更に便利にさせることができる。
【００２４】
本考案が開示する形状、構造は、本考案の精神及び範疇と相違しない状況において、修飾応用することができ、上記実施方式に制限するものではない。
【符号の説明】
【００２５】
１  自動回転盤の改良構造
２  底台
３  回転台
３１  外環壁
３２  内環壁
３３  水平環体
３４  内ギア部
３５  ガイドレール
３６  ガイドレール
４  駆動装置
４１  制御器又は電源
４２  駆動モータ
４３  ギア
４４  制御回路
４４１  コネクタ
５  第１スラスト軸受装置
５１  下軸軸受
５１１  ガイドレール部
５１２  固定部
５１３ａ，５１３ｂ  凸縁
５２  第１ボール保持器
５２１  ボール受け
５３  ボール
６  第２スラスト軸受装置
６１  上軸軸受
６１１  ガイドレール部
６１３ａ，６１３ｂ  凸縁
６２  第２ボール保持器
６２１  ボール受け
６３  ボール
６１２  固定部
７  回転盤接続部材
７１  回転盤蓋
７１１  固定部
７２  定位リング
７１２  被せ孔
８１  第１外フープ
８２  第２外フープ
８３  第１内フープ
８４  第２内フープ
９  回転卓面
１０  固定卓面
１０１  卓面定位台
１０２  テーブルクロス
Ｎ  正方向作用力
Ｆ  作用力
【図１】
0003193168.tif 000003
【図２】
0003193168.tif 000004
【図３】
0003193168.tif 000005
【図４】
0003193168.tif 000006
【図５】
0003193168.tif 000007
【図６】
0003193168.tif 000008
【図７】
0003193168.tif 000009
【図８】
0003193168.tif 000010
【図９】
0003193168.tif 000011
【図１０】
0003193168.tif 000012
【図１１】
0003193168.tif 000013
【図１２】
0003193168.tif 000014
【手続補正書】
【提出日】平成26年7月9日(2014.7.9)
【手続補正２】
【補正対象書類名】実用新案登録請求の範囲
【補正対象項目名】請求項１７
【補正方法】変更
【補正の内容】
【請求項１７】
前記制御器をリモート制御回路により操作制御する請求項１５に記載の自動回転盤。